(57)【特許請求の範囲】
【請求項１】
ガスの流量を計測する流量計測手段を備えると共に、外部機器に接続するためのリード線を接続する端子台を露出する状態で備えたメータ本体と、
前記端子台を露出させる端子台用開口部を備えて、当該端子台用開口部を通して前記端子台を露出させる状態で、前記メータ本体の外面を覆う外装部材と、
前記端子台を覆う状態で配置可能で、当該端子台を覆う状態で配置されることによって、前記外装部材とにより、前記端子台が室内に露出する端子台室を形成する端子台カバーとを備え、
前記端子台カバーが、前記外装部材に対して、着脱自在に又は前記端子台室を開閉自在に取り付けられ、
前記端子台室に、前記端子台に接続された前記リード線を前記端子台室から外部に引き出すためのリード線引出孔が設けられたガスメータであって、
前記端子台カバーの全体が、少なくとも可視光を透過可能な光透過材料にて構成され、
前記端子台カバーの全体が、前記光透過材料としての、少なくとも可視光を透過可能な樹脂材料により構成され、
前記光透過材料の可視光透過率が、１２〜１５％であるガスメータ。
【請求項２】
前記外装部材に、前記端子台カバー側に突出して、前記端子台室を、前記端子台を露出させる主室と前記リード線引出孔が開口される前室とに区画する突条部が備えられ、
前記突条部に、前記端子台に接続された前記リード線を挿通させるための切り欠き状又は孔状のリード線挿通部が設けられ、
前記端子台カバーが、前記主室及び前記前室を覆う請求項１に記載のガスメータ。
【請求項３】
前記端子台室内における前記端子台よりも前記前室側の箇所に、前記突条部の長手方向に沿う方向の全域にわたって、前記外装部材と前記端子台カバーとの間を封止するように、封止部材が設けられている請求項２に記載のガスメータ。
【請求項４】
前記流量計測手段が、流量計測対象のガスを通流させる計測用流路を備えて、前記計測用流路を通流するガスの流量を超音波を用いて計測する超音波式に構成されている請求項１〜３のいずれか１項に記載のガスメータ。 
【発明の詳細な説明】
【技術分野】
【０００１】
本発明は、ガスの流量を計測する流量計測手段を備えると共に、外部機器に接続するためのリード線を接続する端子台を露出する状態で備えたメータ本体と、端子台を露出させる端子台用開口部を備えて、当該端子台用開口部を通して端子台を露出させる状態で、メータ本体の外面を覆う外装部材と、端子台を覆う状態で配置可能で、当該端子台を覆う状態で配置されることによって、外装部材とにより、端子台が室内に露出する端子台室を形成する端子台カバーとを備え、端子台カバーが、外装部材に対して、着脱自在に又は端子台室を開閉自在に取り付けられ、端子台室に、端子台に接続されたリード線を端子台室から外部に引き出すためのリード線引出孔が設けられたガスメータに関する。
【背景技術】
【０００２】
かかるガスメータは、住宅等のガス需要先にガスを供給するガス供給管の途中に設けられて、そのガス供給管を通流するガスの流量を計測するものである。
このようなガスメータでは、メータ本体に、外部機器に接続するためのリード線を接続する端子台が備えられ、その端子台にリード線によって外部機器を接続することにより、外部機器との間でデータの送受信が可能に構成されている。ちなみに、外部機器としては、例えば、公衆通信網を介してデータを送信する通信端末、ガス漏れ警報器等がある。
【０００３】
そして、リード線により、外部機器を端子台に接続するには、端子台カバーを外装部材から取り外すか、あるいは、端子台室を開くように端子台カバーを位置させることにより、端子台を外部に露出させて、リード線を端子台に接続する。続いて、端子台に接続したリード線を、リード線引出孔を通して外部に引き出した状態で、端子台カバーを外装部材に取り付けるか、あるいは、端子台室を閉じるように端子台カバーを位置させることになる（例えば、特許文献１参照。）。
特許文献１には、明確に記載されていないが、外装部材及び端子台カバーは、いずれも、光を透過しない樹脂材料にて構成されていた。
【先行技術文献】
【特許文献】
【０００４】
【特許文献１】特開２０１４−３７９６８号公報
【発明の概要】
【発明が解決しようとする課題】
【０００５】
ところで、端子台室は、リード線引出孔にて外部に開かれており、そのリード線引出孔にリード線が通されていたとしても、リード線引出孔の内周部とリード線の外周部との間には隙間が空いている。
一方、従来のガスメータは、端子台カバーが光を透過しない樹脂材料にて構成されているため、端子台室は、常に、ほとんど光が入らない暗闇状態になっている。
【０００６】
ガスメータは、通常は屋外に設置されることになる。そして、蟻は、暗くて狭い場所に侵入する習性があるので、従来のガスメータでは、蟻がリード線引出孔を通って端子台室に侵入する場合がある。端子台室への蟻の侵入を防止するために、リード線引出孔の隙間に封止材を充填しても、蟻は封止材を食い破って端子台室に侵入する場合があり、端子台室への蟻の侵入を防止することができなかった。
そして、蟻が端子台室に入り込むと、蟻の排泄物や産卵した卵により、リード線や端子台に設けられた端子間で絶縁不良を起こして、ガスメータの動作を制御する制御部が故障する虞があり、ガスメータの耐久性を低下させる要因となっていた。
【０００７】
本発明は、かかる実情に鑑みてなされたものであり、その目的は、蟻が端子台室に侵入し難いようにして、耐久性を向上し得るガスメータを提供することにある。
【課題を解決するための手段】
【０００８】
上記目的を達成するための本発明に係るガスメータは、ガスの流量を計測する流量計測手段を備えると共に、外部機器に接続するためのリード線を接続する端子台を露出する状態で備えたメータ本体と、
前記端子台を露出させる端子台用開口部を備えて、当該端子台用開口部を通して前記端子台を露出させる状態で、前記メータ本体の外面を覆う外装部材と、
前記端子台を覆う状態で配置可能で、当該端子台を覆う状態で配置されることによって、前記外装部材とにより、前記端子台が室内に露出する端子台室を形成する端子台カバーとを備え、
前記端子台カバーが、前記外装部材に対して、着脱自在に又は前記端子台室を開閉自在に取り付けられ、
前記端子台室に、前記端子台に接続された前記リード線を前記端子台室から外部に引き出すためのリード線引出孔が設けられたガスメータであって、その特徴構成は、
前記端子台カバーの全体が、少なくとも可視光を透過可能な光透過材料にて構成され、
前記端子台カバーの全体が、前記光透過材料としての、少なくとも可視光を透過可能な樹脂材料により構成され、
前記光透過材料の可視光透過率が、１２〜１５％である点にある。 
【０００９】
上記特徴構成によれば、端子台カバーが、少なくとも可視光を透過可能な光透過材料にて構成されているので、少なくとも可視光が端子台カバーを透過して端子台室に入り込む。
一方、蟻は暗くて狭い場所に侵入する習性があるので、端子台室に少なくとも可視光が入り込むようにすることにより、蟻が端子台室に侵入し難いようにすることが可能となり、蟻の排泄物や卵により、リード線や端子台に設けられた端子間で絶縁不良が発生するのを防止することができる。
従って、蟻が端子台室に侵入し難いようにして、耐久性を向上し得るガスメータを提供することができるようになった。
また、上記特徴構成によれば、端子台カバーの全体を、少なくとも可視光を透過可能な樹脂材料による成型加工により製作することができるので、端子台カバーの製造工程の簡略化により、端子台カバーの部品コストを低減することができる。
従って、低価格化を図りながら、耐久性を向上し得るガスメータを提供することができる。
本発明の発明者らは、端子台室への蟻の侵入を抑制すべく鋭意研究し、端子台カバーを構成する光透過材料の可視光透過率を、１２〜１５％の間に設定することにより、端子台室内の電装部品の光による劣化を極力抑制しながら、端子台室への蟻の侵入を効果的に抑制できることを見出した。
つまり、光透過材料の可視光透過率を高くするほど、光が端子台室へ入り込み易くなるので、光による電装部品の劣化作用が強まるが、光透過材料の可視光透過率を１５％以下にすることにより、端子台室内の電装部品の光による劣化を十分に抑制できることを見出した。
一方、光透過材料の可視光透過率を低くするほど、光が端子台室内へ入り込み難くなって、端子台室内が暗くなるので、蟻が端子台室へ侵入し易くなるが、透過材料の可視光透過率を１２％以上にすることにより、端子台室内への蟻の侵入を十分に抑制できることを見出した。
要するに、端子台カバーの部品コストの低減を図るべく、端子台カバーの全体を少なくとも可視光を透過可能な樹脂材料による成型加工により製作しても、可視光透過率を１２〜１５％の間に設定することにより、端子台室に露出している電装部品の光による劣化を十分に抑制しながら、蟻が端子台室に侵入し難いようにすることができることを見出した。
従って、端子台カバーを構成する光透過材料の可視光透過率を１２〜１５％の間に設定することにより、ガスメータの低価格化を図りながら、耐久性を一層向上することができる。
【００１０】
本発明に係るガスメータの更なる特徴構成は、前記外装部材に、前記端子台カバー側に突出して、前記端子台室を、前記端子台を露出させる主室と前記リード線引出孔が開口される前室とに区画する突条部が備えられ、
前記突条部に、前記端子台に接続された前記リード線を挿通させるための切り欠き状又は孔状のリード線挿通部が設けられ、
前記端子台カバーが、前記主室及び前記前室を覆う点にある。 
【００１１】
上記特徴構成によれば、端子台室が、突条部によって、端子台を露出させる主室とリード線引出孔が開口される前室とに区画され、端子台カバーの前室を覆う部分が、光透過材料にて構成されているので、前室には、少なくとも可視光が入り込むようにすることが可能となる。
つまり、前室内には極力光が入り易いようにして、前室内を極力明るくすることにより、蟻が前室へ一層侵入し難いようにして、端子台等の電装部品が露出している主室に蟻が侵入しないようにすることができる。
従って、蟻が端子台室に侵入し難いようにすることにより、ガスメータの耐久性を一層向上することができる。 
【００１２】
本発明に係るガスメータの更なる特徴構成は、前記端子台室内における前記端子台よりも前記前室側の箇所に、前記突条部の長手方向に沿う方向の全域にわたって、前記外装部材と前記端子台カバーとの間を封止するように、封止部材が設けられている点にある。
【００１３】
上記特徴構成によれば、端子台室内における端子台よりも前室側の箇所にて、外装部材と端子台カバーとの間が、突条部の長手方向に沿う方向の全域にわたって、封止部材にて封止されているので、その封止部材によって、前室から主室内の端子台に向かう蟻の侵入路を封鎖することができる。
つまり、前室には少なくとも可視光が入り込むようにして、蟻が前室へ侵入し難いようにしながらも、万が一、蟻が前室に侵入したとしても、端子台に向かう侵入路が封止部材によって封鎖されているので、蟻が前室から主室内の端子台にまで侵入するのを一層抑制することができる。
従って、蟻が端子台室内の端子台にまで一層侵入し難くすることができるので、ガスメータの耐久性を一層向上することができる。
【００２０】
本発明に係るガスメータの更なる特徴構成は、前記流量計測手段が、流量計測対象のガスを通流させる計測用流路を備えて、前記計測用流路を通流するガスの流量を超音波を用いて計測する超音波式に構成されている点にある。
【００２１】
上記特徴構成によれば、流量計測対象のガスが計測用流路を通流し、その計測用流路を通流するガスの流量が超音波を用いて計測される。
つまり、超音波式の流量計測手段を備えた超音波式ガスメータにおいて、蟻が端子台室に侵入し難いようにして、耐久性を向上することができる。
【図面の簡単な説明】
【００２２】
【図１】実施形態に係る超音波式ガスメータの正面図
【図２】実施形態に係る超音波式ガスメータの右側面図
【図３】実施形態に係る超音波式ガスメータの端子台カバーを取り外した状態での正面図
【図４】実施形態に係る超音波式ガスメータの縦断右側面図
【図５】実施形態に係る超音波式ガスメータの端子台室を示す要部の縦断右側面図
【図６】実施形態に係る超音波式ガスメータの要部の底面図
【図７】実施形態に係る超音波式ガスメータの端子台カバー及び前面パネルの斜視図
【図８】別実施形態に係る膜式ガスメータの正面図
【図９】別実施形態に係る膜式ガスメータの右側面図
【図１０】別実施形態に係る膜式ガスメータの端子台カバーを取り外した状態での要部の正面図
【発明を実施するための形態】
【００２３】
以下、図面に基づいて、本発明を超音波式ガスメータに適用した場合の実施形態を説明する。
先ず、超音波式ガスメータ（以下、単にガスメータと記載する場合がある）の全体概略構成を説明する。尚、図１は、ガスメータの正面図であり、図２は、ガスメータの右側面図であり、図３は、端子台カバーを取り外した状態でのガスメータの正面図であり、図４は、ガスメータの縦断右側面図である。図５は、端子台室を示すガスメータの要部の縦断右側面図であり、図６は、ガスメータの要部の底面図であり、図７は、端子台カバーを後方側から見た斜視図、及び、前面パネルを前方側から見た斜視図である。
【００２４】
図１〜図３に示すように、ガスメータは、ガス流入口１、ガス流出口２、表示部３、外部機器（図示省略）に接続するためのリード線４を接続する端子台５等を備え、ガス流入口１及びガス流出口２により、住宅等のガス需要先にガスを供給するガス供給管（図示省略）の途中に接続される。そして、ガスの流量を計測してその計測値を表示部３に表示すると共に、リード線４を介して接続された外部機器との間でデータの送受信が可能に構成されている。ちなみに、外部機器としては、例えば、公衆通信網を介してデータを送信する通信端末、ガス漏れ警報器等がある。
【００２５】
図１〜図４に示すように、ガスメータは、ガス流入口１、ガス流出口２及びガスの流量を計測する流量計測手段６等を備えると共に、外部機器に接続するためのリード線４を接続する端子台５を前面部に露出する状態で備えたメータ本体７、端子台５を露出させる端子台用開口部８１を備えて、当該端子台用開口部８１を通して端子台５を露出させる状態で、メータ本体７の前面部（外面の一例）を覆う前面パネル８（外装部材の一例）、端子台５を覆う状態で配置可能で、当該端子台５を覆う状態で配置されることによって、前面パネル８とにより、端子台５が室内に露出する端子台室１０を形成する端子台カバー９等を備えて構成されている。
端子台カバー９は、前面パネル８に対して、２本の端子台カバー取付ネジ１１により着脱自在に取り付けられ、端子台室１０に、端子台５に接続されたリード線４を端子台室１０から外部に引き出すためのリード線引出孔１２が設けられている。
【００２６】
更に、ガスメータには、メータ本体７の後面部を覆う後面パネル１３、メータ本体７の下面部を覆う下面パネル１４が、夫々、複数の後面パネル取付ネジ１５、複数の下面パネル取付ネジ１６により着脱自在に備えられている。
【００２７】
本発明では、端子台カバー９における少なくとも一部分が、少なくとも可視光を透過可能な光透過材料にて構成されている。
【００２８】
次に、ガスメータの各部について、説明を加える。
先ず、メータ本体７について説明を加える。
図４に示すように、この実施形態では、流量計測手段６が、流量計測対象のガスを通流させる計測用流路６１を備えて、計測用流路６１を通流するガスの流量を超音波を用いて計測する超音波式に構成されている。
超音波式の流量計測手段６は、周知の各種構成のものを用いることができるので、詳細な説明及び図示を省略して、簡単に説明する。
図４に示すように、超音波式の流量計測手段６は、横断面形状が矩形状で内部に計測用流路６１を形成する流量計測管６２、計測用流路１７の上流側と下流側とに所定の間隔を開けて配設されて交互に超音波を送信する一対の超音波送受信手段（図示省略）等を備えて構成され、各超音波送受信手段の受信信号に基づいてガス流量を演算するように構成されている。
そして、流量計測管６２が、長手方向を左右方向に沿わせた姿勢で、メータ本体７の下部に組み付けられ、その流量計測管６２の一端には接続管（図示省略）を介してガス流入口１が連通接続され、他端には接続管（図示省略）を介してガス流出口２が連通接続されている。
【００２９】
図示を省略するが、メータ本体７には、ガス漏れ等の異常が発生したときに、ガス流入口１と流量計測管６２とを接続する接続管にて形成される内部流路を遮断する遮断弁が設けられている。
又、図４及び図５に示すように、メータ本体７には、マイクロコンピュータにより構成されてガスメータの動作を制御する制御部（図示省略）、前述の表示部３及び端子台５等を備えた制御基板１７が、表示部３及び端子台５が前面に露出する状態で組み付けられ、図１及び図３に示すように、遮断弁の閉弁状態を解除するための人為操作式の復帰ボタン１８も、前面に露出する状態で組み付けられている。
【００３０】
図３及び図５に示すように、端子台５は、リード線４を接続可能な端子５１を備えて構成され、この実施形態では、端子５１が６個設けられている。
図１及び図３に示すように、表示部３は、例えば、液晶表示装置（ＬＣＤ）にて構成される。
【００３１】
図３、図４、図５及び図７に示すように、前面パネル８には、その上方の中央に位置させて、表示部３を露出させる表示部用開口部８２が設けられ、その表示部用開口部８２の右側に位置させて、復帰ボタン１８を露出させる復帰ボタン用開口部８３が設けられ、表示部用開口部８２の下方に位置させて、正面視で概略矩形状で、端子台室１０を形成するための端子台室用凹部８４が設けられ、その端子台室用凹部８４内の上方寄りの箇所に、前述の端子台用開口部８１が設けられている。
更に、図１、図３及び図７に示すように、前面パネル８の４カ所の角部夫々には、前面パネル８をメータ本体７の前面に取り付けるための前面パネル取付ネジ１９を挿通するネジ挿通孔８５が設けられている。
【００３２】
図３、図５、図６及び図７に示すように、端子台室用凹部８４は、前面パネル８の下端面の一部を欠く形態で、前面パネル８に設けられ、その端子台室用凹部８４には、その左開口縁、上開口縁、右開口縁にわたって一連に連なる状態で、端子台カバー９を嵌め込むためのカバー嵌め込み用段部８６が設けられている。
カバー嵌め込み用段部８６の左右夫々の辺部８６ａ，８６ｂは、前面パネル８の下端よりも上方の位置で止まるように設けられている。
そして、カバー嵌め込み用段部８６の左右夫々の辺部８６ａ，８６ｂには、端子台カバー９を前面パネルに着脱自在に取り付ける端子台カバー取付ネジ１１を螺挿するためのネジ穴８７が設けられている。
【００３３】
図１、図４〜図７に示すように、端子台カバー９は、正面視が端子台室用凹部８４に嵌め込み可能な矩形状で、下端縁部に、前面パネル８の下端面における端子台室用凹部８４にて欠かれる部分を閉じる後ろ向き屈曲部９１を備えた形状に構成されている。
その端子台カバー９の後ろ向き屈曲部９１には、その後端縁に開く状態で、リード線引出孔用切り欠き９２が設けられている。この実施形態では、リード線引出孔用切り欠き９２は、４個設けられている。
図７に示すように、端子台カバー９の左右夫々の側部には、端子台カバー取付ネジ１１を挿通するためのネジ挿通孔９３が設けられている。
【００３４】
つまり、図１〜図４に示すように、前面パネル８をメータ本体７の前面に当て付けて配置し、４本の前面パネル取付ネジ１９を、各別に前面パネル８の４角夫々のネジ挿通孔８５に挿通して、メータ本体７のネジ穴（図示省略）に螺挿することにより、前面パネル８が、表示部用開口部８２を通して表示部３を前面に露出させ、復帰ボタン用開口部８３を通して復帰ボタン２０を前面に露出させ、並びに、端子台用開口部８１を通して端子台５を前面に露出させた状態で、メータ本体７の前面に着脱自在に取り付けられる。
【００３５】
又、図１、図４〜図６に示すように、端子台カバー９を、前面パネル８の端子台室用凹部８４のカバー嵌め込み用段部８６に嵌め込んだ状態で配置し、２本の端子台カバー取付ネジ１１を、各別にネジ挿通孔９３に挿通して、カバー嵌め込み用段部８６の左右夫々の辺部８６ａ、８６ｂのネジ穴８７に螺挿することにより、端子台カバー９が前面パネル８に対して、着脱自在に取り付けられる。
【００３６】
詳細な説明及び図示を省略するが、後面パネル１３も、メータ本体７の後面部に複数の後面パネル取付ネジ１５により着脱自在に取り付けられ、下面パネル１４も、メータ本体７の下面部に複数の下面パネル取付ネジ１６により着脱自在に取り付けられるように構成されている。
【００３７】
図４〜図６に示すように、上述のように端子台カバー９が前面パネル８に取り付けられると、前面パネル８の端子台室用凹部８４と端子台カバー９とにより、端子台５が室内に露出する端子台室１０が形成される。
又、端子台カバー９の後ろ向き屈曲部９１におけるリード線引出孔用切り欠き９２と前面パネル８の前面部とにより、リード線引出孔１２が形成される。この実施形態では、リード線引出孔１２が４個設けられることになる。
【００３８】
図３〜図５、及び、図７に示すように、前面パネル８の端子台室用凹部８４における左側辺部８６ａの下端部と右側辺部８６ｂの下端部とにわたって、左右方向に延びる状態で、前方側（端子台カバー９側）に突出して、端子台室１０を、端子台５を露出させる主室１０１とリード線引出孔１２が開口される前室１０２とに区画する区画用突条部（突条部の一例）８８が備えられている。
この区画用突条部８８には、端子台５の端子５１に接続されたリード線４を挿通させるための前方側に開いた切り欠き状のリード線挿通部８８ａが設けられている。このリード線挿通部８８ａも、４個のリード線引出孔１２夫々に各別に対応する状態で、４個設けられている。
【００３９】
更に、前面パネル８の端子台室用凹部８４における端子台用開口部８１と区画用突条部８８との間には、左右方向に延びる状態で、前方側（端子台カバー９側）に突出するリード線固定用突条部８９が設けられ、そのリード線固定用突条部８９には、その前方側に開く状態で、リード線固定用切り欠き８９ａが設けられている。このリード線固定用切り欠き８９ａも、４個のリード線引出孔１２夫々に各別に対応する状態で、４個設けられている。
【００４０】
端子台カバー９を前面パネル８の前面部に取り付けるに当たっては、カバー嵌め込み用段部８６と区画用突条部８８とからなる枠状部と同形状の枠形状の封止部材２０を、前面パネル８における前述の枠状部に対応する位置に介在させた状態で、上述のように、端子台カバー９を前面パネル８に取り付ける。つまり、図５に示すように、端子台室１０内における端子台５よりも前室１０２側の箇所に、区画用突条部８８の長手方向に沿う方向の全域にわたって、前面パネル８と端子台カバー９との間を封止するように、封止部材２０が設けられていることになる。
【００４１】
前面パネル８、端子台カバー９、後面パネル１３及び下面パネル１４は、いずれも、樹脂材料の成型加工により製作される。
前面パネル８、後面パネル１３及び下面パネル１４を成型加工する樹脂材料は、光透過率が０の光を透過しない樹脂材料であり、端子台カバー９を成型加工する樹脂材料は、可視光を透過可能な樹脂材料である。
つまり、端子台カバー９の全体が、光透過材料としての、少なくとも可視光を透過可能な光透過樹脂材料により構成されていることになる。
この端子台カバー９を構成する光透過樹脂材料の可視光透過率は、例えば、１２〜１５％の範囲であり、この実施形態では、１３．６％である。
ちなみに、端子台カバー９を構成する光透過樹脂材料としては、例えば、ＡＥＳ（アクリロニトリル・エチレン‐プロピレン‐ジエン・スチレン）樹脂を用いることができる。
【００４２】
上述のように構成されたガスメータでは、少なくとも可視光が端子台カバー９を透過して端子台室１０に入り込むことにより、端子台室１０が明るくなるので、蟻が端子台室１０に侵入し難くなる。従って、蟻の卵や排泄物により、リード線４や端子台５に設けられた端子５１間で絶縁不良が発生するのを防止することができるので、ガスメータの耐久性を向上することができる。
又、端子台カバー９を光透過樹脂材料による成型加工により製作することにより、少なくとも可視光を透過可能な端子台カバー９の製造工程を簡略化して、端子台カバー９の部品コストを低減することができるので、ガスメータの価格の低減を図ることができる。
【００４３】
しかも、端子台カバー９の全体を光透過樹脂材料にて製作するにしても、光透過樹脂材料の可視光透過率を、１２〜１５％の間に設定することにより、端子台室１０内の電装部品の光による劣化を極力抑制しながら、端子台室１０への蟻の侵入を効果的に抑制することができる。
【００４４】
〔別実施形態〕
（Ａ）上記の実施形態では、本発明を超音波式の流量計測手段６を備えた超音波式ガスメータに適用する場合について説明したが、本発明は、図８〜図１０に示すように、膜式の流量計測手段（図示省略）を備えた膜式ガスメータにも適用可能である。
膜式の流量計測手段は、周知であるので、詳細な説明及び図示を省略して、簡単に説明する。
膜式の流量計測手段は、ダイヤフラムにより区画された一対の計量室と、ダイヤフラムの往復運動を回転運動に変換して回転体を回転させるリンク機構等を備えて構成される。そして、一対の計量室に交互にガスを給排して、それに伴うダイヤフラムの往復運動をリンク機構により変換して回転体を回転運動させ、その回転体の回転を検出することに基づいて、ガス流量を計測するように構成されている。
【００４５】
図８〜図１０に示すように、この膜式ガスメータは、膜式の流量計測手段（図示省略）を備えると共に、外部機器（図示省略）に接続するためのリード線４を接続する端子台５を露出する状態で備えたメータ本体７と、端子台５を露出させる端子台用開口部８１を備えて、当該端子台用開口部８１を通して端子台５を露出させる状態で、メータ本体７の前面部（外面の一例）を覆う前面パネル８（外装部材の一例）と、端子台５を覆う状態で配置可能で、当該端子台５を覆う状態で配置されることによって、前面パネル８とにより、端子台５が室内に露出する端子台室１０を形成する端子台カバー９等を備えて構成される。
端子台カバー９が、前面パネル８に対して、端子台カバー取付ネジ１１により着脱自在に取り付けられ、端子台室１０に、端子台５に接続されたリード線４を端子台室１０から外部に引き出すためのリード線引出孔（図示省略）が設けられている。
そして、上記の実施形態と同様に、端子台カバー９が、光透過材料としての、少なくとも可視光を透過可能な樹脂材料により構成されている。
【００４６】
図９に示すように、端子台カバー９は、上記の実施形態と同様に、後ろ向き屈曲部９１を備えた形態に構成されている。
図８〜図１０中、符号１、２は、夫々、ガス流入口、ガス流出口を示す。又、符号３は表示部を示し、符号１８は復帰ボタンを示す。
【００４７】
（Ｂ）上記の実施形態では、端子台カバー９を、前面パネル８に対して、端子台カバー取付ネジ１１により着脱自在に取り付ける場合について例示したが、端子台カバー９を、前面パネル８に対して、端子台室１０を開閉自在に取り付けても良い。
この場合は、例えば、端子台カバー９の左側縁部を、前面パネル８の端子台室用凹部８４の左側縁部に、上下方向の軸芯周りに回動自在に支持することになる。つまり、端子台カバー９を、その左側縁部を上下方向に沿う揺動軸芯として、揺動させることにより、端子台室１０を開閉することができる。
【００４９】
（Ｃ）上記の実施形態では、端子台室１０を主室１０１と前室１０２とに区画したが、区画しなくても良い。
【００５０】
尚、上記の実施形態（別実施形態を含む、以下同じ）で開示される構成は、矛盾が生じない限り、他の実施形態で開示される構成と組み合わせて適用することが可能であり、又、本明細書において開示された実施形態は例示であって、本発明の実施形態はこれに限定されず、本発明の目的を逸脱しない範囲内で適宜改変することが可能である。
【産業上の利用可能性】
【００５１】
以上説明したように、蟻が端子台室に侵入し難いようにして、耐久性を向上し得るガスメータを提供することができる。
【符号の説明】
【００５２】
４      リード線
５      端子台
６      流量計測手段
７      メータ本体
８      前面パネル（外装部材）
９      端子台カバー
１０    端子台室
１２    リード線引出孔
２０    封止部材
６１    計測用流路
８１    端子台用開口部
８８    区画用突条部（突条部）
８８ａ  リード線挿通部
１０１  主室
１０２  前室
【図１】
0006640001.tif 000002
【図２】
0006640001.tif 000003
【図３】
0006640001.tif 000004
【図４】
0006640001.tif 000005
【図５】
0006640001.tif 000006
【図６】
0006640001.tif 000007
【図７】
0006640001.tif 000008
【図８】
0006640001.tif 000009
【図９】
0006640001.tif 000010
【図１０】
0006640001.tif 000011